(57)【要約】【課題】あらゆるユーザーの健康状態の測定頻度を向上することである。【解決手段】ＭＦＰ２０は、記録媒体に画像形成する画像形成部２６を備える。ＭＦＰ２０は、ユーザーの健康状態に関する生体情報を測定する電極３４ａ，３４ｂ、インピーダンス測定部３３と、生体情報の測定を促すための測定促進情報を生成し、所定のタイミングで測定促進情報を表示部２３に通知させる制御部２１と、を備える。【選択図】図３
2017126933.tif 000002
【特許請求の範囲】
【請求項１】
記録媒体に画像形成する画像形成手段を備える画像形成装置であって、
ユーザーの健康状態に関する生体情報を測定する測定手段と、
前記生体情報の測定を促すための測定促進情報を生成し、所定のタイミングで前記測定促進情報を通知手段に通知させる制御手段と、を備える画像形成装置。
【請求項２】
前記所定のタイミングは、個人認証完了時である請求項１に記載の画像形成装置。
【請求項３】
前記所定のタイミングとは、印刷の開始指示後である請求項１に記載の画像形成装置。
【請求項４】
前記制御手段は、印刷完了までに要する印刷時間を推定し、推定した印刷時間と測定時間との関係情報を前記測定促進情報とともに通知させる請求項１から３のいずれか一項に記載の画像形成装置。
【請求項５】
前記制御手段は、印刷完了までに要する印刷時間を推定し、推定した印刷時間が所定時間より長い場合に前記測定促進情報を通知させる請求項１から４のいずれか一項に記載の画像形成装置。
【請求項６】
前記制御手段は、前記推定した印刷時間が第１の所定時間より長い場合に健康状態の通常測定を促す前記測定促進情報を通知させ、前記推定した印刷時間が前記第１の所定時間より長い第２の所定時間より長い場合に健康状態の高精度測定を促す前記測定促進情報を通知させる請求項５に記載の画像形成装置。
【請求項７】
前記制御手段は、前回測定から所定期間以上経過しているか否かを判別し、所定期間以上経過している場合に、前記測定促進情報を通知させる請求項１から６のいずれか一項に記載の画像形成装置。
【請求項８】
記録媒体に画像形成する画像形成手段を備える画像形成装置であって、
ユーザーの健康状態に関する生体情報を測定する測定手段と、
前記生体情報の測定を促すための測定促進情報を生成し、前記画像形成の待機期間に前記測定促進情報を通知手段に通知させる制御手段と、を備える画像形成装置。
【請求項９】
前記待機期間は、印刷ジョブが実行されておらず且つ操作がされていない期間である請求項８に記載の画像形成装置。
【請求項１０】
前記測定された生体情報に基づいて健康状態を示す健康データを生成する健康データ生成手段を備える請求項１から９のいずれか一項に記載の画像形成装置。
【発明の詳細な説明】
【技術分野】
【０００１】
本発明は、画像形成装置に関する。
【背景技術】
【０００２】
従来、用紙に画像を形成するＭＦＰ（MultiFunction Peripheral：複合機）等の画像形成装置が知られている。画像形成装置を設けたオフィスにおけるオフィスワーカーのストレスを始めとする健康状態を本人が把握するには、オフィスにてある程度の頻度で測定することが望ましい。しかし、ウエアラブルセンサーを全員に配布することは企業の経済的な負担も大きく、また、常時管理されている感覚から従業員に敬遠されがちであり、万歩計を除いて導入は進んでいない。
【０００３】
そこで、ユーザーの健康状態を測定する機能を有する画像形成装置が知られている。例えば、印刷の待ち時間に、ユーザーからの操作に応じて、本体に接続された測定機器をユーザーが装着し、当該測定機器によりユーザーの健康データを測定する画像形成装置が知られている（特許文献１参照）。
【０００４】
また、ユーザーからの操作に応じて、本体に内蔵された測定部によりユーザーの生体インピーダンスを測定し、測定した生体インピーダンスと操作入力されたユーザーの生体情報とから体脂肪率を計算する画像形成装置が知られている（特許文献２参照）。
【先行技術文献】
【特許文献】
【０００５】
【特許文献１】特開２０１３−２１８５６１号公報
【特許文献２】特開２００６−３４５８６号公報
【発明の概要】
【発明が解決しようとする課題】
【０００６】
しかし、上記の従来技術では、測定できる環境を提供しただけでは、以下のような課題があり、測定の頻度の向上（健康管理意識の向上）はあまり期待できない。
・健康管理に対する意識が低いユーザーは、わざわざ測定しようとはしない。
・画像形成装置を利用するユーザーの多くは、コピーや印刷を行う目的で画像形成装置を使用するため、健康状態を測定する機能に意識が向かず、見過ごされてしまう。また、どのタイミングで測定をしたらよいか分からないユーザーもいる。
【０００７】
本発明の課題は、あらゆるユーザーの健康状態の測定頻度を向上することである。
【課題を解決するための手段】
【０００８】
上記課題を解決するため、請求項１に記載の発明の画像形成装置は、
記録媒体に画像形成する画像形成手段を備える画像形成装置であって、
ユーザーの健康状態に関する生体情報を測定する測定手段と、
前記生体情報の測定を促すための測定促進情報を生成し、所定のタイミングで前記測定促進情報を通知手段に通知させる制御手段と、を備える。
【０００９】
請求項２に記載の発明は、請求項１に記載の画像形成装置において、
前記所定のタイミングは、個人認証完了時である。
【００１０】
請求項３に記載の発明は、請求項１に記載の画像形成装置において、
前記所定のタイミングとは、印刷の開始指示後である。
【００１１】
請求項４に記載の発明は、請求項１から３のいずれか一項に記載の画像形成装置において、
前記制御手段は、印刷完了までに要する印刷時間を推定し、推定した印刷時間と測定時間との関係情報を前記測定促進情報とともに通知させる。
【００１２】
請求項５に記載の発明は、請求項１から４のいずれか一項に記載の画像形成装置において、
前記制御手段は、印刷完了までに要する印刷時間を推定し、推定した印刷時間が所定時間より長い場合に前記測定促進情報を通知させる。
【００１３】
請求項６に記載の発明は、請求項５に記載の画像形成装置において、
前記制御手段は、前記推定した印刷時間が第１の所定時間より長い場合に健康状態の通常測定を促す前記測定促進情報を通知させ、前記推定した印刷時間が前記第１の所定時間より長い第２の所定時間より長い場合に健康状態の高精度測定を促す前記測定促進情報を通知させる。
【００１４】
請求項７に記載の発明は、請求項１から６のいずれか一項に記載の画像形成装置において、
前記制御手段は、前回測定から所定期間以上経過しているか否かを判別し、所定期間以上経過している場合に、前記測定促進情報を通知させる。
【００１５】
請求項８に記載の発明は、
記録媒体に画像形成する画像形成手段を備える画像形成装置であって、
ユーザーの健康状態に関する生体情報を測定する測定手段と、
前記生体情報の測定を促すための測定促進情報を生成し、前記画像形成の待機期間に前記測定促進情報を通知手段に通知させる制御手段と、を備える。
【００１６】
請求項９に記載の発明は、請求項８に記載の画像形成装置において、
前記待機期間は、印刷ジョブが実行されておらず且つ操作がされていない期間である。
【００１７】
請求項１０に記載の発明は、請求項１から９のいずれか一項に記載の画像形成装置において、
前記測定された生体情報に基づいて健康状態を示す健康データを生成する健康データ生成手段を備える。
【発明の効果】
【００１８】
本発明によれば、あらゆるユーザーの健康状態の測定頻度を向上できる。
【図面の簡単な説明】
【００１９】
【図１】本発明の実施の形態の画像形成システムを示すブロック図である。
【図２】ＭＦＰを示す外観図である。
【図３】ＭＦＰの機能構成を示すブロック図である。
【図４】ＭＦＰ処理を示すフローチャートである。
【図５】ＭＦＰ処理の印刷処理及びコピー処理を示すフローチャートである。
【図６】図５の印刷処理及びコピー処理の続きを示すフローチャートである。
【図７】ＭＦＰ処理の健康測定処理を示すフローチャートである。
【図８】測定終了処理を示すフローチャートである。
【図９】（ａ）は、機能選択画面を示す図である。（ｂ）は、第１の測定促進画面を示す図である。（ｃ）は、印刷データ選択画面を示す図である。（ｄ）は、第２の測定促進画面を示す図である。
【図１０】（ａ）は、第３の測定促進画面を示す図である。（ｂ）は、第４の測定促進画面を示す図である。（ｃ）は、測定情報画面を示す図である。（ｄ）は、印刷エラー画面を示す図である。
【図１１】（ａ）は、測定エラー画面を示す図である。（ｂ）は、測定選択画面を示す図である。（ｃ）は、測定結果画面を示す図である。（ｄ）は、印刷選択画面を示す図である。
【発明を実施するための形態】
【００２０】
添付図面を参照して本発明に係る実施の形態を詳細に説明する。なお、本発明は、図示例に限定されるものではない。
【００２１】
図１〜図５を参照して、本発明に係る実施の形態を説明する。先ず、図１〜図３を参照して、本実施の形態の装置構成を説明する。図１は、本実施の形態の画像形成システム１を示すブロック図である。図２は、ＭＦＰ２０を示す外観図である。図３は、ＭＦＰ２０の機能構成を示すブロック図である。
【００２２】
図１に示すように、本実施の形態の画像形成システム１は、サーバー１０と、画像形成装置としてのＭＦＰ２０と、少なくとも１台のＰＣ（Personal Computer）４０と、を備える。サーバー１０と、ＭＦＰ２０とは、通信ネットワークＮを介して接続されている。通信ネットワークＮは、インターネット等である。
【００２３】
サーバー１０は、通信ネットワークＮのクラウド上に設けられ、ＭＦＰ２０で測定されたユーザーの健康状態を示す健康データを管理する情報処理装置である。本実施の形態では、健康データが、ストレス度を示すデータであるものとする。サーバー１０は、記憶部（図示略）を備え、ユーザーＩＤと、当該ユーザーＩＤのユーザーに対応する測定日時情報と、当該測定日時情報において測定された健康データと、を対応付けて当該記憶部に記憶している。
【００２４】
ＭＦＰ２０及びＰＣ４０は、例えば、企業等のオフィスに設置され、ＬＡＮ（Local Area Network）で接続されている。ＰＣ４０は、各種情報処理を行うデスクトップＰＣ、パームトップＰＣ等の端末装置であり、ユーザーの操作により、文書、図面等の画像データ等を含む印刷データをＭＦＰ２０に送信する。ＭＦＰ２０は、ＰＣ４０から送信された印刷データの印刷、原稿のコピー、健康状態の測定、測定した健康データのサーバー１０への送信等を行う。
【００２５】
なお、画像形成システム１におけるＭＦＰ２０の台数は、１台に限定されるものではなく、複数台としてもよい。その構成では、サーバー１０は、複数のＭＦＰ２０のユーザーの健康データを管理する。
【００２６】
次いで、図２を参照して、ＭＦＰ２０の外観構成を説明する。図２に示すように、ＭＦＰ２０は、ＡＤＦ（Auto Document Feeder）２４と、プラテン２５ａと、ボタン部２２ａと、表示部２３と、認証入力部３２ａと、電極３４ａ，３４ｂと、排紙トレイ３６と、給紙トレイ２８ａと、を備える。
【００２７】
ＡＤＦ２４は、ＭＦＰ２０の最上面に設けられ、開閉可能であって、載置されたコピー又はスキャン用の複数の原稿を１枚ずつ原稿読み取り用のコンタクトガラス（図示略）に送り出す。プラテン２５ａは、ＡＤＦ２４が開けられた状態で、コピー又はスキャン用の原稿が載置される。
【００２８】
ボタン部２２ａは、数字ボタン、各種機能ボタン、印刷開始用のスタートボタン等のハードウェアキーを有し、ユーザーからの押下入力を受け付ける。表示部２３は、ＬＣＤ（Liquid Crystal Display）等で構成され、各種表示情報を表示する。また、表示部２３には、一体的にタッチパネルが設けられている。
【００２９】
認証入力部３２ａは、ユーザーの個人認証用情報の入力部であり、ここでは生体情報としての指紋情報の入力部であるものとし、ユーザーの所定の読み取り用の指の指紋が入力される。但し、認証入力部３２ａは、入力を受け付ける認証用情報が指紋情報である構成に限定されるものではなく、静脈認証用の指の静脈、パスワード認証用のパスワード、ＩＤカード認証用のＩＤカード等、他の認証用情報の入力部としてもよい。
【００３０】
電極３４ａ，３４ｂは、ユーザーの健康状態に関する生体インピーダンスの入力を受け付ける同じ材料の金属等の導電体である。電極３４ａは、ユーザーの左手が接触入力され、電極３４ｂは、ユーザーの右手が接触入力される。
【００３１】
排紙トレイ３６は、印刷された用紙が排出されるトレイである。給紙トレイ２８ａは、印刷用の用紙が格納されるトレイである。給紙トレイ２８ａは、例えば、複数の種類の用紙を格納する複数のトレイを有する構成とする。
【００３２】
次いで、図３を参照して、ＭＦＰ２０の内部の機能構成を説明する。図３に示すように、ＭＦＰ２０は、制御手段、健康データ生成手段としての制御部２１と、操作部２２と、表示部２３と、ＡＤＦ２４と、原稿読取部２５と、画像形成手段としての画像形成部２６と、定着部２７と、給紙部２８と、通信部２９と、計時部３０と、記憶部３１と、認証部３２と、測定手段としてのインピーダンス測定部３３、電極３４ａ，３４ｂと、を備える。電極３４ａ，３４ｂを除くＭＦＰ２０の各部は、バス３５を介して接続されている。
【００３３】
制御部２１は、ＭＦＰ２０の各部を制御し、ＣＰＵ（Central Processing Unit）、ＲＡＭ（Random Access Memory）、ＲＯＭ（Read Only memory）（図示略）を有する。制御部２１は、ＣＰＵがＲＯＭに記憶されている各種プログラムを読み出して適宜ＲＡＭに展開し、展開されたプログラムとＣＰＵとの協働で、各種処理を実行する。ＲＯＭには、各種データや、各種プログラムが記憶され、特に後述するＭＦＰ処理を実行させるためのＭＦＰプログラムが記憶されているものとする。
【００３４】
操作部２２は、ボタン部２２ａ、表示部２３に設けられたタッチパネルを有し、ユーザーの操作を受け付け、当該操作に基づく操作情報を制御部２１に出力する。表示部２３は、制御部２１から入力される表示情報に従って各種表示情報を表示する。ＡＤＦ２４は、制御部２１の指示に従い、コピー又はスキャン用の原稿をコンタクトガラスに送る。原稿読取部２５は、コンタクトガラス、プラテン２５ａ、スキャナー等を備え、制御部２１の指示に従い、コンタクトガラス又はプラテン２５ａ上の原稿の画像を読み取って画像データを取得する。
【００３５】
画像形成部２６は、制御部２１の指示に従い、原稿読取部２５により取得された画像データ、通信部２９を介してＰＣ４０から受信された印刷データの画像データ、記憶部３１に記憶された画像データに基づいて、用紙に電子写真方式の画像形成を行う画像形成部である。画像形成部２６は、イエロー（Ｙ）、マゼンタ（Ｍ）、シアン（Ｃ）、ブラック（Ｋ）の各色に対応する感光体ドラム、中間転写ベルト、２次転写ローラー等を備える。イエローの感光体ドラムは、一様に帯電された後、イエロー色の画像データに基づいてレーザービームにより走査露光され、静電潜像が形成される。そして、イエローの感光体ドラムの静電潜像にイエロー色のトナーが付着され、現像が行われる。マゼンタ、シアン、ブラックの感光体ドラムについても、扱う色が異なることを除いて、イエローの感光体ドラムと同様であるため、説明を省略する。
【００３６】
各感光体ドラム上に形成された各色のトナー像は、回転する中間転写ベルト上に逐次転写される（１次転写）。すなわち、中間転写ベルト上には、４色のトナー像が重ね合わされたカラートナー像が形成される。中間転写ベルト上のカラートナー像は、２次転写ローラーにより、用紙上に一括して転写される（２次転写）。なお、画像形成部２６は、用紙にモノクロの画像形成を行う構成としてもよい。
【００３７】
定着部２７は、制御部２１の指示に従い、画像形成部２６によりトナー像が形成された用紙を加熱及び加圧して用紙にトナー像を定着する。定着部２７は、例えば、誘導加熱又はハロゲンヒーターにより加熱する加熱ローラーと、加熱ローラーとの間にニップ部を形成する加圧ローラーと、を有する。
【００３８】
給紙部２８は、給紙トレイ２８ａを有し、制御部２１の指示に従い、給紙トレイ２８ａに格納された用紙を取り出して画像形成部２６に供給する。
【００３９】
通信部２９は、通信ネットワークＮ及びＬＡＮに通信接続されるネットワークカード等であり、制御部２１の指示に従い、通信ネットワークＮ上のサーバー１０や、ＬＡＮ上のＰＣ４０と、情報の送受信を行う。計時部３０は、リアルタイムクロックであり、現在日時情報を計時し、計時した現在日時情報を制御部２１に出力する。
【００４０】
記憶部３１は、ＨＤＤ（Hard Disk Drive）、フラッシュメモリー等により構成され、各種画像処理に係る画像データ等の各種データを記憶する。また、記憶部３１には、予め登録されたユーザーの識別情報と、当該ユーザーのメールアドレスと、ユーザーの指紋の特徴点データと、が対応付けられて記憶されているものとする。なお、識別情報、メールアドレス、指紋の特徴点データを、サーバー１０に記憶しておき、ＭＦＰ２０が通信により取得するようにしてもよい。
【００４１】
認証部３２は、認証入力部３２ａを有し、制御部２１の指示に従い、認証入力部３２ａから入力されたユーザーの指紋情報の特徴点データを生成して制御部２１に出力する。
【００４２】
インピーダンス測定部３３は、制御部２１の指示に従い、電極３４ａ，３４ｂ間に微弱な電流を流して、電極３４ａ，３４ｂ間のインピーダンスをユーザーの生体情報である生体インピーダンスとして測定し、測定した生体インピーダンスを制御部２１に出力する。
【００４３】
次に、図４〜図１１を参照して、画像形成システム１の動作を説明する。図４は、ＭＦＰ処理を示すフローチャートである。図５は、ＭＦＰ処理の印刷処理及びコピー処理を示すフローチャートである。図６は、図５の印刷処理及びコピー処理の続きを示すフローチャートである。図７は、ＭＦＰ処理の健康測定処理を示すフローチャートである。図８は、測定終了処理を示すフローチャートである。
【００４４】
図９（ａ）は、機能選択画面５１を示す図である。図９（ｂ）は、第１の測定促進画面５２を示す図である。図９（ｃ）は、印刷データ選択画面５３を示す図である。図９（ｄ）は、第２の測定促進画面５４を示す図である。図１０（ａ）は、第３の測定促進画面５５を示す図である。図１０（ｂ）は、第４の測定促進画面５６を示す図である。図１０（ｃ）は、測定情報画面５７を示す図である。図１０（ｄ）は、印刷エラー画面５８を示す図である。図１１（ａ）は、測定エラー画面５９を示す図である。図１１（ｂ）は、測定選択画面６０を示す図である。図１１（ｃ）は、測定結果画面６１を示す図である。図１１（ｄ）は、印刷選択画面６２を示す図である。
【００４５】
図４〜図７を参照して、ＭＦＰ２０で実行されるＭＦＰ処理を説明する。ＭＦＰ処理における印刷データの印刷は、印刷データを送信したユーザーの認証が行われると、印刷開始されるものとする。ＭＦＰ２０において、例えばユーザーにより電源がオンされたことをトリガとして、制御部２１は、ＲＯＭ内のＭＦＰプログラムに従い、ＭＦＰ処理を実行する。
【００４６】
図４に示すように、制御部２１は、ＭＦＰ２０の各部のイニシャライズや、定着部２７のウォームアップ等の初期動作を行う（ステップＳ１１）。そして、制御部２１は、ユーザーから操作部２２への操作入力の待機処理を行う（ステップＳ１２）。印刷データの印刷をする場合、ステップＳ１２の間に、制御部２１は、通信部２９を介してＰＣ４０から少なくとも１つの印刷データの受信を行い、受信した印刷データを記憶部３１に記憶する。この印刷データには、印刷対象の画像データ、印刷の設定情報、印刷データを送信させたユーザーのユーザーＩＤが含まれているものとする。
【００４７】
ステップＳ１１の初期動作の期間とステップＳ１２の待機処理の期間とは、画像形成の待機期間である。この待機期間は、印刷ジョブが実行されておらず且つ操作がされていない期間である。制御部２１は、ステップＳ１１，Ｓ１２で、健康状態の測定を促す測定促進画面情報を生成し、測定促進画面情報に基づき表示部２３に測定促進画面を表示する構成としてもよい。この構成において、ステップＳ１２では、常時又は所定の時間間隔で測定促進画面が表示されるものとする。
【００４８】
そして、制御部２１は、ユーザーから操作部２２に認証用の操作入力がされたか否かを判別する（ステップＳ１３）。操作入力されていない場合（ステップＳ１３；ＮＯ）、制御部２１は、ステップＳ１２に移行する。操作入力がされた場合（ステップＳ１３；ＹＥＳ）、制御部２１は、認証部３２によりユーザーから指紋情報の入力を受け付けて特徴点データを取得し、受信した印刷データのユーザーＩＤと、入力された指紋の特徴点データと、の組み合わせが、記憶部３１に記憶されているか否かにより、ユーザーの個人認証を行う（ステップＳ１４）。ここでは、ユーザーの個人認証が成功したものとして後の処理を説明するが、個人認証失敗した場合、例えば、個人認証失敗の旨が表示部２３に表示され、ステップＳ１３に移行される。
【００４９】
そして、制御部２１は、通信部２９を介して、ステップＳ１４で認証されたユーザーのユーザーＩＤを含む前回測定日時情報の要求をサーバー１０に送信し、当該前回測定日時情報をサーバー１０から受信して取得する（ステップＳ１５）。ステップＳ１５において、サーバー１０は、前回測定日時情報の要求をＭＦＰ２０から受信すると、記憶部に記憶している測定日時情報のうち、当該要求のユーザーＩＤに対応する前回測定日時情報を読み出して要求元のＭＦＰ２０に返信する。
【００５０】
そして、制御部２１は、計時部３０から現在日時情報を取得し、ステップＳ１５で取得された前回測定日時情報から現在日時情報まで、予め設定された所定期間以上経過しているか否かを判別する（ステップＳ１６）。所定期間以上経過していない場合（ステップＳ１６；ＮＯ）、制御部２１は、機能選択画面情報を生成し、機能選択画面情報に基づき表示部２３に機能選択画面を表示する（ステップＳ１７）。ステップＳ１７では、例えば、図９（ａ）に示す機能選択画面５１が表示される。
【００５１】
機能選択画面５１は、メッセージ５１０、コピーボタン５１１、印刷ボタン５１２、健康測定ボタン５１３、設定メニューボタン５１４、を有する。メッセージ５１０は、機能選択を促す旨のメッセージである。コピーボタン５１１は、機能としてコピーの選択入力を受け付けるボタンである。印刷ボタン５１２は、機能として印刷の選択入力を受け付けるボタンである。健康測定ボタン５１３は、健康状態の測定を行う機能としての健康測定の選択入力を受け付けるボタンである。設定メニューボタン５１４は、各機能の設定メニュー表示用のボタンである。設定メニューボタン５１４がタッチされると、各種設定入力のための設定メニュー画面が表示され、ユーザーからの各種設定入力が受け付けられる。各種設定入力後に、コピーボタン５１１、印刷ボタン５１２又は健康測定ボタン５１３がタッチ入力される。
【００５２】
所定期間以上経過している場合（ステップＳ１６；ＹＥＳ）、制御部２１は、第１の測定促進画面情報を生成し、第１の測定促進画面情報に基づき表示部２３に第１の測定促進画面を表示する（ステップＳ１８）。ステップＳ１８では、例えば、図９（ｂ）に示す第１の測定促進画面５２が表示される。
【００５３】
第１の測定促進画面５２は、メッセージ５２０、コピーボタン５２１、印刷ボタン５２２、健康測定ボタン５２３、設定メニューボタン５２４、を有する。メッセージ５２０は、前回測定日時情報から所定期間以上経過しており健康状態の測定を促す旨と、機能選択を促す旨と、のメッセージである。コピーボタン５２１、印刷ボタン５２２、健康測定ボタン５２３、設定メニューボタン５２４は、コピーボタン５１１、印刷ボタン５１２、健康測定ボタン５１３、設定メニューボタン５１４と同様である。
【００５４】
そして、制御部２１は、ステップＳ１７の機能選択画面又はステップＳ１８の第１の測定促進画面により、操作部２２を介してユーザーからのタッチ入力を受け付け、どの機能が選択されたかを判別する（ステップＳ１９）。選択機能が印刷である場合（ステップＳ１９；印刷）、制御部２１は、印刷処理を行い（ステップＳ２０）、ステップＳ１２に移行する。選択機能がコピーである場合（ステップＳ１９；コピー）、制御部２１は、コピー処理を行い（ステップＳ２１）、ステップＳ１２に移行する。選択機能が健康測定である場合（ステップＳ１９；健康測定）、制御部２１は、健康測定処理を行い（ステップＳ２２）、ステップＳ１２に移行する。
【００５５】
図５及び図６を参照して、図４のステップＳ２０，Ｓ２１の印刷処理及びコピー処理を説明する。図５に示すように、印刷処理では先ず、制御部２１は、記憶部３１に記憶された少なくとも１つの印刷データに基づいて、印刷データ選択画面情報を生成し、印刷データ選択画面情報に基づいて印刷データ選択画面を表示し、操作部２２を介してユーザーからの実際に印刷する印刷データの選択入力を受け付ける（ステップＳ３１）。ステップＳ３１では、例えば、図９（ｃ）に示す印刷データ選択画面５３が表示される。
【００５６】
印刷データ選択画面５３は、印刷データ選択ボタン５３１、全選択ボタン５３２、印刷開始ボタン５３３、を有する。印刷データ選択ボタン５３１は、印刷データ毎に設けられ、実際に印刷する印刷データの選択入力を受け付けるボタンである。全選択ボタン５３２は、印刷データ選択ボタン５３１の全ての印刷データの選択入力を受け付けるボタンである。印刷開始ボタン５３３は、印刷データ選択ボタン５３１の選択された印刷データの実行指示を受け付けるボタンである。
【００５７】
そして、制御部２１は、操作部２２を介してユーザーから選択された印刷データの印刷開始ボタンがタッチ入力されたか否かを判別する（ステップＳ３２）。印刷開始ボタンがタッチ入力されていない場合（ステップＳ３２；ＮＯ）、制御部２１は、ステップＳ３１に移行する。
【００５８】
図５に示すように、コピー処理では先ず、制御部２１は、操作部２２を介してユーザーからのコピーに関する各種設定情報の入力を受け付ける（ステップＳ３３）。そして、制御部２１は、操作部２２を介してユーザーからのコピーを開始するためスタートボタンの押下入力を受け付けたか否かを判別する（ステップＳ３４）。スタートボタンが押下入力されていない場合（ステップＳ３４；ＮＯ）、制御部２１は、ステップＳ３３に移行する。
【００５９】
スタートボタンが押下入力された場合（ステップＳ３４；ＹＥＳ）、制御部２１は、ステップＳ３３で入力された設定情報に応じて、ＡＤＦ２４及び原稿読取部２５を制御して、原稿の読み取りを行い、読み取った原稿の画像データを取得する（ステップＳ３５）。そして、制御部２１は、原稿の読み取りを完了したか否かを判別する（ステップＳ３６）。原稿の読み取りを完了していない場合（ステップＳ３６；ＮＯ）、制御部２１は、ステップＳ３５に移行する。
【００６０】
印刷開始ボタンがタッチ入力された場合（ステップＳ３２；ＹＥＳ）、又は原稿の読み取りを完了した場合（ステップＳ３６；ＹＥＳ）、制御部２１は、給紙部２８、画像形成部２６、定着部２７を制御し、ステップＳ３１で入力された設定情報に応じた選択された印刷データの印刷、又はステップＳ３３で入力された設定情報に応じてステップＳ３５で取得された画像データの、用紙への印刷を開始する（ステップＳ３７）。
【００６１】
そして、制御部２１は、ステップＳ３１で入力された設定情報、選択された印刷データ、又は、ステップＳ３３で入力された設定情報、ステップＳ３５で取得された画像データに基づいて、ステップＳ３７の印刷開始から印刷終了までの推定の印刷時間を算出する（ステップＳ３８）。そして、制御部２１は、ステップＳ３８又はＳ４５で算出された印刷時間が、予め設定された所定の閾値Ｔ１よりも長いか否かを判別する（ステップＳ３９）。閾値Ｔ１は、健康測定の通常測定に要する時間である。印刷時間が閾値Ｔ１よりも長い場合（ステップＳ３９；ＹＥＳ）、制御部２１は、ステップＳ３８又はＳ４５で算出された印刷時間が、予め設定された所定の閾値Ｔ２よりも長いか否かを判別する（ステップＳ４０）。閾値Ｔ２は、健康測定の高精度測定に要する時間であり、Ｔ２＞Ｔ１である。
【００６２】
本実施の形態では、健康測定は、通常測定と、高精度測定の２種類があるものとする。通常測定は、所定時間のユーザーの両手間の生体インピーダンスを測定し、測定した生体インピーダンスから、健康データとしてストレス度を算出する測定である。高精度測定は、通常測定の所定時間よりも長い所定時間のユーザーの両手間の生体インピーダンスを測定し、同様にストレス度を算出する測定である。測定時間が長いほど、単位時間当たりの生体インピーダンスへのノイズの影響を低減できるため、高精度のストレス度を算出できる。
【００６３】
印刷時間が閾値Ｔ２よりも長い場合（ステップＳ３９；ＹＥＳ）、制御部２１は、第２の測定促進画面情報を生成し、第２の測定促進画面情報に基づき表示部２３に第２の測定促進画面を表示する（ステップＳ４１）。ステップＳ４１では、例えば、図９（ｄ）に示す第２の測定促進画面５４が表示される。
【００６４】
第２の測定促進画面５４は、メッセージ５４０、高精度測定選択ボタン５４１、通常測定選択ボタン５４２、測定しない選択ボタン５４３、を有する。メッセージ５４０は、健康測定を促す旨と、ＭＦＰ利用時間としての印刷時間が閾値Ｔ１，Ｔ２よりも長い旨と、のメッセージである。高精度測定選択ボタン５４１は、高精度測定の選択入力を受け付けるボタンである。通常測定選択ボタン５４２は、通常測定の選択入力を受け付けるボタンである。測定しない選択ボタン５４３は、健康測定をしない旨の選択入力を受け付けるボタンである。高精度測定選択ボタン５４１、通常測定選択ボタン５４２、測定しない選択ボタン５４３がタッチ入力される。第２の測定促進画面５４では、高精度測定及び通常測定のいずれも選択可能であるが、印刷時間内（すなわち、印刷の待ち時間内）に高精度測定が可能であることがわかるため、高精度測定を促す効果がある。
【００６５】
印刷時間が閾値Ｔ２以下の場合（ステップＳ４０；ＮＯ）、制御部２１は、第３の測定促進画面情報を生成し、第３の測定促進画面情報に基づき表示部２３に第３の測定促進画面を表示する（ステップＳ４２）。ステップＳ４２では、例えば、図１０（ａ）に示す第３の測定促進画面５５が表示される。
【００６６】
第３の測定促進画面５５は、メッセージ５５０、高精度測定選択ボタン５５１、通常測定選択ボタン５５２、測定しない選択ボタン５５３、を有する。メッセージ５５０は、健康測定を促す旨と、ＭＦＰ利用時間としての印刷時間が閾値Ｔ２以下で閾値Ｔ１よりも長い旨と、のメッセージである。高精度測定選択ボタン５５１、通常測定選択ボタン５５２、測定しない選択ボタン５５３は、第２の測定促進画面５４の高精度測定選択ボタン５４１、通常測定選択ボタン５４２、測定しない選択ボタン５４３と同様のボタンである。第３の測定促進画面５５では、高精度測定及び通常測定のいずれも選択可能であるが、特に、算出された印刷時間が測定時間に満たない（すなわち、印刷の待ち時間内に完了しない）高精度測定よりも、算出された印刷時間が測定時間よりも長い（すなわち、印刷の待ち時間内に完了する）通常測定が促されている。
【００６７】
印刷時間が閾値Ｔ１以下の場合（ステップＳ３９；ＮＯ）、制御部２１は、第４の測定促進画面情報を生成し、第４の測定促進画面情報に基づき表示部２３に第４の測定促進画面を表示する（ステップＳ４３）。ステップＳ４３では、例えば、図１０（ｂ）に示す第４の測定促進画面５６が表示される。
【００６８】
第４の測定促進画面５６は、メッセージ５６０、高精度測定選択ボタン５６１、通常測定選択ボタン５６２、測定しない選択ボタン５６３、を有する。メッセージ５６０は、健康測定を促す旨と、ＭＦＰ利用時間としての印刷時間が閾値Ｔ２より小さく，閾値Ｔ１以下の旨と、のメッセージである。高精度測定選択ボタン５６１、通常測定選択ボタン５６２、測定しない選択ボタン５６３は、第２の測定促進画面５４の高精度測定選択ボタン５４１、通常測定選択ボタン５４２、測定しない選択ボタン５４３と同様のボタンである。第４の測定促進画面５６では、算出された印刷時間が高精度測定及び通常測定の測定時間以下であるが、高精度測定及び通常測定のいずれも選択可能であるものとする。
以上のように、本実施の形態では、印刷時間と測定時間（高精度、通常）との関係を表示することにより、印刷の待ち時間で測定できることがわかるため、ユーザーによる測定の実施が促進される。なお、本実施の形態では、印刷時間が測定時間より短い場合でも測定促進画面を表示するようにしているが、印刷時間が測定時間より長い場合（すなわち、印刷の待ち時間内に測定が完了する場合）のみ測定促進画面を表示するようにしてもよい。
【００６９】
そして、制御部２１は、ステップＳ４１の第２の測定促進画面、ステップＳ４２の第３の測定促進画面、又はステップＳ４３の第３の測定促進画面により、操作部２２を介してユーザーからのタッチ入力を受け付け、どの測定が選択されたかを判別する（ステップＳ４４）。未選択の場合（ステップＳ４４；未選択）、制御部２１は、ステップＳ３１で入力された設定情報、選択された印刷データ、印刷済の印刷データ、又は、ステップＳ３３で入力された設定情報、ステップＳ３５で取得された画像データ、印刷済の画像データに基づいて、現在から印刷終了までの残りの推定の印刷時間を算出し（ステップＳ４５）、ステップＳ３９に移行する。
【００７０】
測定しないが選択された場合（ステップＳ４４；しない）、制御部２１は、印刷の状況を示すとともに、測定促進画面への移行入力を受け付ける移行ボタンを有する印刷画面情報を生成し、印刷画面情報に基づき表示部２３に印刷画面を表示する（ステップＳ４６）。印刷画面では、測定促進画面への移行ボタンのタッチ入力が可能である。
【００７１】
そして、制御部２１は、操作部２２を介して、測定促進画面への移行ボタンのタッチ入力がされたか否かを判別する（ステップＳ４７）。移行ボタンがタッチ入力されていない場合（ステップＳ４７；ＮＯ）、制御部２１は、印刷が終了したか否かを判別する（ステップＳ４８）。印刷が終了していない場合（ステップＳ４８；ＮＯ）、制御部２１は、ステップＳ４６に移行する。印刷が終了した場合（ステップＳ４８；ＹＥＳ）、印刷処理又はコピー処理が終了する。移行ボタンがタッチ入力された場合（ステップＳ４７；ＹＥＳ）、制御部２１は、ステップＳ４５と同様にして残りの印刷時間を算出し（ステップＳ４９）、ステップＳ３９に移行する。
【００７２】
通常測定又は高精度測定が選択された場合（ステップＳ４４；通常測定又は高精度測定）、制御部２１は、インピーダンス測定部３３により電極３４ａ，３４ｂ間の生体インピーダンスの測定を開始し、計時部３０から現在日時情報を測定日時情報として取得する（ステップＳ５０）。ユーザーは、電極３４ａ，３４ｂにそれぞれ左手、右手を触れさせる。ステップＳ５０において、制御部２１は、電極３４ａ，３４ｂにそれぞれ左手、右手を触れさせることを促すメッセージを含む画面情報を生成して表示部２３に画面表示することとしてもよい。
【００７３】
そして、図６に示すように、制御部２１は、測定情報画面情報を生成し、測定情報画面情報に基づき表示部２３に測定情報画面を表示する（ステップＳ５１）。ステップＳ５２では、例えば、図１０（ｃ）に示す測定情報画面５７が表示される。測定情報画面５７は、メッセージ５７０を有する。メッセージ５７０は、健康状態（生体インピーダンス）を測定中である旨のメッセージである。
【００７４】
そして、制御部２１は、給紙部２８、画像形成部２６、定着部２７、用紙の搬送路等におけるジャム発生等の印刷に関する印刷エラーが発生したか否かを判別する（ステップＳ５２）。印刷エラーが発生した場合（ステップＳ５２；ＹＥＳ）、制御部２１は、印刷エラー画面情報を生成し、印刷エラー画面情報に基づき表示部２３に印刷エラー画面を表示する（ステップＳ５３）。ステップＳ５３では、例えば、図１０（ｄ）に示す印刷エラー画面５８が表示される。
【００７５】
印刷エラー画面５８は、メッセージ５８０、次へボタン５８１を有する。メッセージ５８０は、印刷エラーが発生し、印刷エラー解消を促す旨のメッセージである。次へボタン５８１は、印刷エラーの発生箇所及びその解消方法を案内する印刷エラー解消ガイダンス画面に遷移するための入力を受け付けるボタンである。次へボタン５８１がユーザーによりタッチ入力される。
【００７６】
そして、制御部２１は、印刷エラー解消ガイダンス画面情報を生成し、印刷エラー解消ガイダンス画面情報に基づき表示部２３に印刷エラー解消ガイダンス画面を表示し、ユーザーの印刷エラー解消操作に応じて印刷エラー解消を行い（ステップＳ５４）、ステップＳ５１に移行する。ユーザーは、印刷エラー解消ガイダンス画面に応じて、印刷エラー発生箇所の印刷エラー解消操作を行う。
【００７７】
印刷エラーが発生していない場合（ステップＳ５２；ＮＯ）、制御部２１は、電極３４ａ，３４ｂ、インピーダンス測定部３３における生体インピーダンス測定に関する測定エラーが発生したか否かを判別する（ステップＳ５５）。測定エラーは、例えば、ユーザーが測定中に電極３４ａ，３４ｂから手を離したことに基づくエラーである。測定エラーが発生した場合（ステップＳ５５；ＹＥＳ）、制御部２１は、測定エラー画面情報を生成し、測定エラー画面情報に基づき表示部２３に測定エラー画面を表示する（ステップＳ５６）。ステップＳ５６では、例えば、図１１（ａ）に示す測定エラー画面５９が表示される。
【００７８】
測定エラー画面５９は、メッセージ５９０、次へボタン５９１を有する。メッセージ５９０は、測定エラーが発生し、印刷エラー解消を促す旨のメッセージである。次へボタン５９１は、生体インピーダンスの測定をやり直すための入力を受け付けるボタンである。次へボタン５９１がユーザーによりタッチ入力される。
【００７９】
そして、制御部２１は、ステップＳ４５と同様にして残りの推定の印刷時間を算出し（ステップＳ５７）、ステップＳ３９に移行する。測定エラーが発生していない場合（ステップＳ５５；ＮＯ）、制御部２１は、ステップＳ４４で入力された通常測定又は高精度測定の選択情報及び測定時間に基づき、生体インピーダンスの測定が完了したか否かを判別する（ステップＳ５８）。生体インピーダンスの測定が完了していない場合（ステップＳ５８；ＮＯ）、制御部２１は、ステップＳ５１に移行する。
【００８０】
生体インピーダンスの測定が完了した場合（ステップＳ５８；ＹＥＳ）、制御部２１は、後述する測定終了処理を行う（ステップＳ５９）。そして、制御部２１は、ステップＳ４６，Ｓ４８と同様にして、ステップＳ６０，Ｓ６１を行い、印刷処理又はコピー処理を終了する。
上記ステップＳ３８、Ｓ４５、Ｓ５７の印刷時間を算出においては、現在のユーザーが入力した印刷データの印刷の前に、他のユーザーの印刷データの印刷が行われている場合、その他のユーザーの印刷データの印刷に要する時間も併せて残り印刷時間として算出する。
【００８１】
図７を参照して、図４のステップＳ２２の健康測定処理を説明する。図７に示すように、先ず、制御部２１は、測定選択画面情報を生成し、測定選択画面情報に基づき表示部２３に測定選択画面を表示し、測定の種類の選択入力を受け付ける（ステップＳ７１）。ステップＳ７１では、例えば、図１１（ｂ）に示す測定選択画面６０が表示される。
【００８２】
測定選択画面６０は、メッセージ６００、高精度測定選択ボタン６０１、通常測定選択ボタン６０２、測定しない選択ボタン６０３、を有する。メッセージ６００は、健康測定の種類選択を促す旨のメッセージである。高精度測定選択ボタン６０１、通常測定選択ボタン６０２、測定しない選択ボタン６０３は、第２の測定促進画面５４の高精度測定選択ボタン５４１、通常測定選択ボタン５４２、測定しない選択ボタン５４３と同様のボタンである。高精度測定選択ボタン６０１、通常測定選択ボタン６０２、測定しない選択ボタン６０３がタッチ入力される。測定しない選択ボタン６０３がタッチ入力された場合、フローチャートには示されないが、例えば、健康測定処理が終了する。
【００８３】
そして、制御部２１は、図４のステップＳ５０と同様にして測定開始の処理を行う（ステップＳ７２）。そして、制御部２１は、図６のステップＳ５１と同様にして測定情報画面表示を行う（ステップＳ７３）。そして、制御部２１は、図６のステップＳ５５と同様にして測定エラーが発生したか否かを判別する（ステップＳ７４）。測定エラーが発生した場合（ステップＳ７４；ＹＥＳ）、制御部２１は、ステップＳ７１に移行する。測定エラーが発生していない場合（ステップＳ７４；ＮＯ）、制御部２１は、図６のステップＳ５８と同様にして測定を完了したか否かを判別する（ステップＳ７５）。測定を完了していない場合（ステップＳ７５；ＮＯ）、制御部２１は、ステップＳ７３に移行する。測定を完了した場合（ステップＳ７５；ＹＥＳ）、制御部２１は、後述する測定終了処理を行い（ステップＳ７６）、健康測定処理を終了する。
【００８４】
図８を参照して、図６のステップＳ５９、図７のステップＳ７６の測定終了処理を説明する。図８に示すように、先ず、制御部２１は、測定された生体インピーダンスのデータを用いて、ユーザーのストレス度を算出する（ステップＳ８１）。
【００８５】
ここで、ストレス度の算出を説明する。先ず、時系列に測定された生体インピーダンスのデータを、ユーザーの心拍を示す心電図のデータとして用いる。制御部２１は、心電図のデータから心拍間隔を計算した心拍変動時系列データを生成する。そして、制御部２１は、心拍変動時系列データから周期構造を抽出するために、パワースペクトル密度（ＰＳＤ：Power Spectral Density）を算出する。そして、制御部２１は、心拍変動から自律神経のバランスを推定するために、心拍変動時系列データから、呼吸変動に対応する高周波変動成分（ＨＦ成分）と血圧変動であるメイヤー波（Mayer wave）に対応する低周波成分（ＬＦ成分）を抽出し、両者の強度を比較する。というのは、呼吸変動を反映するＨＦ成分が、副交感神経が緊張（活性化）している場合にのみ心拍変動に現れる一方、ＬＦ成分が、交感神経が緊張しているときも、副交感神経が緊張しているときも心拍変動に現れるという性質を利用するためである。
【００８６】
ＬＦ成分とＨＦ成分としては、パワースペクトルのＬＦ成分の領域（0.05［Ｈｚ］から0.15［Ｈｚ］まで）、及びＨＦ成分の領域（0.15［Ｈｚ］から0.40［Ｈｚ］まで）の強度を合計した値（積分値）をそれぞれ用いる。副交感神経が優位にある場合にＨＦ成分が現れるため、ＨＦ成分の数値を副交感神経の活性度（緊張度）とする場合もある。また、交感神経が優位でも、副交感神経が優位でも、上記合計値にＬＦ成分が現れるため、本実施の形態では、例えば、ＬＦ成分とＨＦ成分との比をとって、ＬＦ成分／ＨＦ成分をストレス指標（交感神経の活性度）としてのストレス度とする。
【００８７】
リラックスしている状態、つまり副交感神経が活性化しているときには、呼吸変動を反映したＨＦ成分と血圧変動を反映したＬＦ成分も現れるが、ストレス状態にある場合、つまり交感神経が活性化しているときには、ＬＦ成分が現れる一方、ＨＦ成分が減少する。従って、リラックス状態にあると相対的にＨＦ成分が大きくなるのでストレス度の値は小さくなり、反対に、ストレス状態にあるとＨＦ成分に対してＬＦ成分が大きくなるので、ストレス度の値が大きくなる。このストレス度が幾つ以上になるとストレス状態と判定するか、という判定基準は、個人差や測定条件等により変わってくる。
【００８８】
そして、制御部２１は、ステップＳ８２で算出されたストレス度に基づく健康データを健康測定の結果データとして生成し、図４の１４で認証されたユーザーのユーザーＩＤに対応するメールアドレスを記憶部３１から読み出し、通信部２９を介して、生成した健康データと、図５のステップＳ５０又は図７のステップＳ７２で取得された測定日時情報とを含むメールを、読み出したメールアドレス宛に送信する（ステップＳ８２）。健康データは、例えば、ストレス度と、ストレス度がどのストレス状態であるかを示すストレス状態データと、を有するものとする。ステップＳ８２で送信されるメールには、自分の行動や認知の仕方を振り返り、他者と相談したり、認知の歪みに気づき、前向きになるための認知行動療法プログラムのＵＲＬ（Uniform Resource Locator）も含めることとしてもよい。
【００８９】
そして、制御部２１は、ステップＳ８２で生成した健康データを含む測定結果画面情報を生成し、測定結果画面情報に基づき表示部２３に測定結果画面を表示する（ステップＳ８３）。ステップＳ８３では、例えば、図１１（ｃ）に示す測定結果画面６１が表示される。
【００９０】
測定結果画面６１は、メッセージ６１０、最近測定結果表示ボタン６１１、測定結果印刷ボタン６１２、終了ボタン６１３、を有する。メッセージ６１０は、ステップＳ８２で生成した健康データと、その健康データをユーザーのメールアドレス宛に送信した旨と、のメッセージである。最近測定結果表示ボタン６１１は、最近測定結果を表示する選択を受け付けるボタンである。測定結果印刷ボタン６１２は、ステップＳ８２で生成した健康データを印刷する選択を受け付けるボタンである。終了ボタン６１３は、このままでの健康測定の終了を受け付けるボタンである。最近測定結果表示ボタン６１１、測定結果印刷ボタン６１２又は終了ボタン６１３がタッチ入力される。最近測定結果表示ボタン６１１がタッチ入力されると、フローチャートには示さないが、制御部２１は、被測定ユーザーのユーザーＩＤを用いて、最近の測定結果の健康データ及び測定日時情報をサーバー１０に要求して受信し、受信した最近の測定結果の健康データ及び測定日時情報を表示部２３に表示する。
【００９１】
そして、制御部２１は、ステップＳ８３の測定結果画面により、操作部２２を介して測定結果印刷ボタンのタッチ入力によりユーザーからのタッチ入力を受け付け、測定した健康データの印刷が指示されたか否かを判別する（ステップＳ８４）。健康データの印刷が指示された場合（ステップＳ８４；ＹＥＳ）、制御部２１は、図５のステップＳ３７と同様にして、ステップＳ８２で生成された健康データと、図５のステップＳ５０又は図７のステップＳ７２で取得された測定日時情報とを印刷する（ステップＳ８５）。なお、このとき、ステップＳ３１で選択された印刷データ、または、コピー処理により入力された印刷データの印刷が完了していない場合には、その完了後に健康データの印刷が行われる。
【００９２】
なお、測定結果画面６１で測定結果印刷ボタン６１２がタッチ入力されると、制御部２１は、図１１（ｄ）に示す印刷選択画面６２を表示部２３に表示する構成としてもよい。印刷選択画面６２は、メッセージ６２０、今日測定結果印刷ボタン６２１、過去測定結果印刷ボタン６２２、終了ボタン６２３、を有する。メッセージ６２０は、印刷の種類の選択入力を促す旨のメッセージである。今日測定結果印刷ボタン６２１は、今日の測定結果（最後に測定した測定結果）の健康データ等の印刷する選択を受け付けるボタンである。過去測定結果印刷ボタン６２２は、今日を含む過去の測定結果の健康データ等の印刷する選択を受け付けるボタンである。終了ボタン６２３は、健康データ等の印刷を行わずに終了を受け付けるボタンである。
【００９３】
今日測定結果印刷ボタン６２１、過去測定結果印刷ボタン６２２又は終了ボタン６２３がタッチ入力される。今日測定結果印刷ボタン６２１がタッチ入力されると、ステップＳ８５で、最後（今日）に測定された健康データ及び測定日時情報が印刷される。今日測定結果印刷ボタン６２１がタッチ入力されると、ステップＳ８５で、制御部２１は、健康測定したユーザーのユーザーＩＤを用いて、過去の測定結果の健康データ及び測定日時情報をサーバー１０に要求して受信し、図５のステップＳ３７と同様に、最後（今日）及び受信した過去の測定結果の健康データ及びそれらの測定日時情報を印刷する。
【００９４】
終了ボタンのタッチ入力により健康データの印刷が指示されない場合（ステップＳ８４；ＮＯ）、又はステップＳ８５の後、制御部２１は、通信部２９を介して、ステップＳ８２で生成された健康データと、図５のステップＳ５０又は図７のステップＳ７２で取得された測定日時情報とを、健康測定したユーザーのユーザーＩＤとともにサーバー１０印刷し（ステップＳ８６）、測定終了処理を終了する。サーバー１０は、ＭＦＰ２０から健康データ、測定日時情報及びユーザーＩＤを対応付けて自装置の記憶部に記憶する。
【００９５】
以上、本実施の形態によれば、ＭＦＰ２０は、ユーザーの健康状態に関する生体情報を測定する電極３４ａ，３４ｂ、インピーダンス測定部３３と、生体情報の測定を促すための測定促進画面情報を生成し、所定のタイミングで測定促進画面情報を表示部２３に表示させる制御部２１と、を備える。
【００９６】
このため、ユーザーが視認した測定促進情報に応じて、生体情報の測定を行うので、健康管理に関心があるユーザーだけでなく健康管理に関心がないユーザーを含むあらゆるユーザーの健康状態の測定頻度を向上することができ、延いては健康管理意識を向上させることができる。
【００９７】
また、所定のタイミングは、個人認証完了時である。このため、個人認証完了時というユーザーがＭＰＦ３０の前に存在し且つユーザーの操作入力を邪魔しない適切なタイミングで生体情報の測定を効果的に促すことができる。
【００９８】
また、所定のタイミングは、印刷の開始指示後である。このため、印刷の開始指示後というユーザーがＭＰＦ３０の前に存在し且つユーザーの印刷のための操作入力後である適切なタイミングで生体情報の測定を効果的に促すことができる。
【００９９】
また、制御部２１は、印刷完了までに要する印刷時間を推定し、推定した印刷時間と測定時間との長短の関係情報を測定促進画面情報とともに表示させる。このため、ユーザーが印刷時間と測定時間との大小関係に応じて、印刷時間内の生体情報の測定を効果的に促すことができる。
【０１００】
また、制御部２１は、推定した印刷時間が所定時間より長い場合に測定促進画面情報を表示させる。より具体的には、制御部２１は、推定した印刷時間が閾値Ｔ１より長い場合に健康状態の通常測定を促す測定促進画面情報を表示させ、推定した印刷時間が閾値Ｔ１より長い閾値Ｔ２より長い場合に健康状態の高精度測定を促す測定促進画面情報を表示させる。このため、推定した印刷時間の長短に応じて適切な健康状態の生体情報の測定を促すことができる。
【０１０１】
また、制御部２１は、前回測定から所定期間以上経過しているか否かを判別し、所定期間以上経過している場合に、測定促進情報を表示させる。このため、ユーザーが長い期間健康状態を測定しないことを低減できる。
【０１０２】
また、制御部２１は、画像形成（印刷）の待機期間に測定促進画面情報を表示部２３に表示させる。このため、あらゆるユーザーの健康状態の測定頻度を向上することができ、健康管理意識を向上させることができるとともに、画像形成が指示されるまでの待機期間を有効に活用して、生体情報の測定を促すことができる。
【０１０３】
また、待機期間は、印刷ジョブが実行されておらず且つ操作がされていない期間である。このため、ユーザーが操作入力をしようとする適切なタイミングで生体情報の測定を効果的に促すことができる。
【０１０４】
また、制御部２１は、測定された生体情報に基づいて健康状態を示す健康データを生成する。このため、健康データを適切且つ確実に生成できる。
【０１０５】
なお、上記実施の形態における記述は、本発明に係る好適な画像形成装置の一例であり、これに限定されるものではない。
【０１０６】
例えば、上記実施の形態では、制御部２１が、測定促進情報としての測定促進画面情報を表示部２３に表示させてユーザーに通知する構成としたが、これに限定されるものではない。例えば、ＭＦＰ２０が、スピーカー等の音声出力部、ＬＥＤ（Light Emitting Diode）等の点灯部を備え、制御部２１が、健康状態の測定を促す測定促進情報を、音声出力部の音声出力、点灯部による点灯により通知させる構成としてもよい。さらに、制御部２１が、通信部２９を介して、測定促進情報としての測定促進画面情報を印刷データ送信元のＰＣ４０に送信し、ＰＣ４０の印刷のドライバー画面に表示させる構成としてもよい。
【０１０７】
また、上記実施の形態では、制御部２１が、インピーダンス測定部３３により測定された生体インピーダンスを用いて、健康データとしてのストレス度及びストレス状態データを生成する構成としたが、これに限定されるものではない。例えば、制御部２１が、インピーダンス測定部３３により測定された生体インピーダンスを用いて、心電図、心拍数、呼吸数、体脂肪率等、他の健康データを生成する構成としてもよい。また、生体インピーダンスの測定に限らず、これに替えて、例えば、血圧測定を行うようにしてもよい。
また、上記実施の形態では、制御部２１が、ＭＦＰの各機能と、インピーダンス測定をともに制御する構成としたが、インピーダンス測定を別の制御部（測定制御部）で制御する構成としてもよい。この場合、ＭＦＰ制御部から、測定の開始指示を測定モードとともに測定制御部へ送り、測定制御部から測定完了、測定結果及びエラー発生の通知を受信する構成となる。
【０１０８】
また、上記実施の形態では、ＭＦＰ２０の画像形成部２６は、電子写真方式の画像形成部としたが、これに限定されるものではない。例えば、画像形成部２６が、インクジェット方式等、他の画像形成方式の画像形成部であることとしてもよい。
また、上記実施の形態では、健康データをサーバー１０へ送信し、サーバー１０で管理（測定日時を含む）するように構成したが、ＭＦＰ２０内部で管理するようにしてもよい。
【０１０９】
また、以上の実施の形態における画像形成システム１を構成する各部の細部構成及び細部動作に関して本発明の趣旨を逸脱することのない範囲で適宜変更可能である。
【符号の説明】
【０１１０】
１  画像形成システム
１０  サーバー
２０  ＭＦＰ
２１  制御部
２２  操作部
２２ａ  ボタン部
２３  表示部
２４  ＡＤＦ
２５  原稿読取部
２５ａ  プラテン
２６  画像形成部
２７  定着部
２８  給紙部
２８ａ  給紙トレイ
２９  通信部
３０  計時部
３１  記憶部
３２  認証部
３２ａ  認証入力部
３３  インピーダンス測定部
３４ａ，３４ｂ  電極
３５  バス
３６  排紙トレイ
４０  ＰＣ
Ｎ  通信ネットワーク
【図１】
2017126933.tif 000003
【図２】
2017126933.tif 000004
【図３】
2017126933.tif 000005
【図４】
2017126933.tif 000006
【図５】
2017126933.tif 000007
【図６】
2017126933.tif 000008
【図７】
2017126933.tif 000009
【図８】
2017126933.tif 000010
【図９】
2017126933.tif 000011
【図１０】
2017126933.tif 000012
【図１１】
2017126933.tif 000013